(57)【特許請求の範囲】
【請求項１】
原稿画像の読取部と、読み取り画像を記録する記録部と、読み取り関連項目及び記録関連項目の設定を行う操作部と、前記設定された各項目を表示する表示部と、前記各部を制御する制御部とを備え、前記記録部の記録中で前記表示部の前記記録関連項目の表示中に、前記操作部で読み取り操作されたとき、前記表示部の表示を、前記記録関連項目の表示から前記読み取り関連項目の表示に切り替えてなることを特徴とする画像読取装置。
【請求項２】
前記記録関連項目表示から読み取り関連項目表示に表示を切り替えているときに、読み取り原稿を除去すると記録関連項目表示に表示部の表示を戻すことを特徴とする請求項１に記載の画像読取装置。
【請求項３】
前記記録関連項目表示は、設定された項目の画像処理進捗状況の表示であり、読み取り関連項目表示は、原稿に応じて設定された読み取り処理の態様であることを特徴とする請求項１または請求項２に記載の画像読取装置。
【発明の詳細な説明】
【０００１】
【発明の属する技術分野】
本発明は、画像読み取りおよび画像記録に関連したそれぞれの設定項目の表示形態を改善した画像読取装置に関する。
【０００２】
【従来の技術】
複写機や、複写機能を併せ持つファクシミリ装置（複合機）には、一般に、オ−トドキュメントフィ−ダ（ＡＤＦ）やフラットベッド型の読み取り用原稿載置台が備え付けられている。ＡＤＦは、多数枚の読取原稿を光学読取系に連続自動給送して各原稿面から画像を連続的に読み取るためのものである。
【０００３】
また、フラットベッド型の読み取り用原稿載置台は、透明な原稿支持板としてのカバ−ガラスを有しており、そのカバ−ガラス上の所定位置に利用者が読取原稿を一枚づつ載置し、それを光学読取系で読み取らせている。このようなフラットベッド型の原稿載置台を用いる読み取り方式は、一般にブック読み取りといわれている。上記のような原稿支持板としてのカバ−ガラスは、光学読取系と共にフラットベッドスキャナ（ＦＢＳ）を構成している。
【０００４】
このような複写機能を有する複合機において、最近のデジタル複合機は、先に読み取りした原稿の画像を記録紙にプリントする処理を行なっているときに、次の原稿の読み取りを行なうことができる。すなわち、画像読み取りと画像記録の二つの処理が同時に行なえるデュアルアクセスの機能を備えている。
【０００５】
ところで、画像読取装置の操作パネルには、ＬＣＤ等を用いた表示部が設けられており、画像読み取りや画像記録の際の設定項目が表示される。例えば、画像読み取りの設定項目は、原稿は文字か写真か等の原稿の種類や、原稿読み取りの濃度等の、原稿に応じてなされる読み取り処理の態様が表示される。また、画像記録の設定項目は、コピ−枚数、倍率等が表示される。
【０００６】
【発明が解決しようとする課題】
このように、画像読み取りと画像記録の二つの処理を行なう際には、画像読み取りおよび画像記録に関連したそれぞれの設定項目を表示部に表示して、操作者が操作を誤りなく行なえるようにする必要がある。しかしながら、最近の省スペ−ス化の要請に対応するために機器は小型化される傾向にあり、表示部の表示画面も十分にはとれない実情にある。
【０００７】
表示部の表示画面が小さい画像読取装置においては、画像読み取りおよび画像記録に関連したそれぞれの設定項目を同時に表示部に表示することが出来なかった。このため、画像読み取りと画像記録の二つの処理を行なう際の操作性が悪いという問題があった。
【０００８】
また、表示部の表示画面を大きくして、画像読み取りおよび画像記録に関連したそれぞれの設定項目を同時に表示部に表示したときには、一度に表示される情報量が多くなる。このため、操作者が画像読取装置の動作状況を認識する際に混乱を招くという問題があった。
【０００９】
本発明は、かかる現状に鑑みてなされたものであり、画像読み取りおよび画像記録に関連したそれぞれの設定項目の表示形態を改善した画像読取装置の提供を目的とする。
【００１０】
【課題を解決するための手段】
上記目的は、請求項１に係る本発明において、画像読取装置を、原稿画像の読取部と、読み取り画像を記録する記録部と、読み取り関連項目及び記録関連項目の設定を行う操作部と、前記設定された各項目を表示する表示部と、前記各部を制御する制御部とを備え、前記記録部の記録中で前記表示部の前記記録関連項目の表示中に、前記操作部で読み取り操作されたとき、前記表示部の表示を、前記記録関連項目の表示から前記読み取り関連項目の表示に切り替えてなる構成とすることによって達成される。
【００１１】
また、請求項２に係る発明は、請求項１に記載の画像読取装置において、前記記録関連項目表示から読み取り関連項目表示に表示を切り替えているときに、読み取り原稿を除去すると記録関連項目表示に表示部の表示を戻すことを特徴としている。
【００１２】
また、請求項３に係る発明は、請求項１に記載の画像読取装置において、前記記録関連項目表示は、設定された項目の画像処理進捗状況の表示であり、読み取り関連項目表示は、原稿に応じて設定された読み取り処理の態様であることを特徴としている。
【００１３】
請求項１に係る発明によれば、画像の記録中に記録関連項目を表示部に表示しているときに、読み取り関連項目を設定すると、記録関連項目から読み取り関連項目に切り替えて表示部に表示している。このため、表示部の表示画面が小さい場合でも、画像読取装置の読み取り処理と記録処理の状況を支障なく表示することができる。しかも、読み取り処理と記録処理をそれぞれ別画面に表示されるので、操作者は画像読取装置の処理状況を混乱することなく確実に把握することができる。
【００１４】
請求項２に係る発明によれば、記録関連項目表示から読み取り関連項目表示に表示を切り替えているときに、読み取り原稿を除去すると記録関連項目表示に表示部の表示を戻している。このため、原稿の読み取り処理が不要になったときに、表示部の表示を記録関連項目表示に戻す処理が操作者が何等の操作をすることなく自動的になされるので、操作者の負担を軽減し、操作性を向上させることができる。
【００１５】
請求項３に係る発明によれば、記録関連項目表示は、設定された項目の画像処理進捗状況の表示であり、読み取り関連項目表示は、原稿に応じて設定された読み取り処理の態様としている。このため、操作者は原稿の特質に応じて画像読取装置はどのような読み取り処理をするのか、また、記録処理を行なう際の画像処理進捗状況はどのようになっているかの判断を確実にすることができる。
【００１６】
【発明の実施の形態】
以下、本発明の実施の形態について図面を参照して説明する。図７は、本発明が適用される画像読取装置の読取部を示す概略の側面図である。この画像読取装置１は、コピ−・ファクシミリ複合機に具体化している。図７において、画像読取装置１は、装置ケ−ス２、押え蓋３、原稿給送部４とを備えている。
【００１７】
装置ケ−ス２は光学読取系（ＯＰ）を内臓する。光学読取系の詳細については図示を省略しているが、ステップモ−タで駆動される移動フレ−ムに光源となるランプ及び反射ミラ−を取付け、集光レンズと画像読取り用の撮像素子（ＣＣＤ）を装置ケ−ス２内に固設した構成としている。
【００１８】
装置ケ−ス２の上面には、読取原稿を載置するための支持板として透明なカバ−ガラス８が取り付けられている。カバ−ガラス８は、前記光学読取系の移動フレ−ムに取り付けられた光源となるランプ及び反射ミラ−と共にＦＢＳを構成する。光源となるランプ９は、水平方向（矢視Ｘ方向）に往復動する。
【００１９】
押え蓋３は、基板５、給紙トレイ６、排出トレイ７とを備え、装置ケ−ス２の上面端部にヒンジ機構により開閉可能に取付けられている。すなわち、押え蓋３はカバ−ガラス８に対して開閉動作する開閉板として作用する。
【００２０】
原稿給送部４はＡＤＦの主要な構成部分であり、給紙トレイ６の読取原稿を取り込んで反転させる。続いて、読取原稿は原稿給送部４内を搬送されて、透光板上を通過する際に読取原稿の画像が光学読取系で読み込まれ、排出トレイ７に排出される。
【００２１】
次に、ＡＤＦの主要な構成部分である原稿給送部４について説明する。原稿給送部４の入口には、原稿幅検出用センサ４ｌが所定のピッチで設置されている。原稿給送部４内には、給紙トレイ６上の最上部の読取原稿を取り込むための給送ロ−ラ４ａと分離ロ−ラ４ｂが設けられている。また、給送ロ−ラ４ａの側方には給紙補助ロ−ラ４ｃが設けられており、ベルト４ｄにより給送ロ−ラ４ａからの駆動力が伝達される。
【００２２】
給紙補助ロ−ラ４ｃは、給送ロ−ラ４ａの回転に伴ってベルト４ｄから駆動力が伝達されて給送ロ−ラ４ａと同方向に回転すると共に、下降して給紙トレイ６上の最上部にある読取原稿の上面に当接して、給送ロ−ラ４ａによる紙送りを補助する。給送ロ−ラ４ａと分離ロ−ラ４ｂの下流側には搬送ロ−ラ４ｅと一対の従動ロ−ラ４ｆ、４ｇが設けられている。
【００２３】
ＡＤＦモ−ドにおいては、給送ロ−ラ４ａと分離ロ−ラ４ｂにより原稿給送部４内に取り込まれた読取原稿は、搬送ロ−ラ４ｅと一対の従動ロ−ラ４ｆ、４ｇ間に挟持されつつ搬送されて反転させられた後に、透光板４ｋ上を通過する。この透光板４ｋを通して読取原稿は光学読取系で読み取られ、図示を省略している感光ドラムに画像が形成される。
【００２４】
透光板４ｋ上を通過した読取原稿は、一対の排出ロ−ラ４ｈ、４ｉによって搬送され、排出口４ｊより排出トレイ７上に排出される。また、給紙トレイ６の先端部には、原稿がセットされたことを検出する原稿センサ４ｌが設けられている。この原稿センサ４ｌは、例えば光電センサを用いて構成する。
【００２５】
図５は本発明の画像読取装置の制御装置を示す概略のブロック図である。次にこのブロック図について説明する。図５において、画像読取装置の制御装置１１は、各種信号やデ−タを処理するための制御部１２を有している。この制御部１２は、例えばＣＰＵ（中央演算処理装置）により構成されている。
【００２６】
制御部１２には、回線制御部（ＮＣＵ）１４、モデム１５、画像メモリ１６、ＲＡＭ１７、ＲＯＭ１８、表示部１９、操作部２０、読取部２１、記録部２２、符号化・復号部２３が接続されている。制御部１２は、表示部１９、操作部２０、読取部２１、記録部２２を制御して、後述するように表示部１９の表示画面を、記録関連項目の表示、または読み取り関連項目の表示に切り替える制御を行なう。
【００２７】
回線制御部１４は外部回線１３と接続され、相手先のダイヤル番号に対応したダイヤルパルスの送出、及び着信を検出する。モデム１５は相手先のファクシミリ装置等の通信端末装置との間で送受信されるデ−タを変調・復調し、回線制御部１４と接続する。画像メモリ１６は、読取画像の画デ−タ、受信した画デ−タを格納する記憶部として作用する。ＲＡＭに１７は予約送信またはメモリ受信における管理デ−タが格納される。ＲＯＭ１８には画像読取装置の各種動作に必要なデ−タやプログラムが格納される。
【００２８】
陰極線管（ＣＲＴ）や液晶表示器（ＬＣＤ）を用いた表示部１９には、画像読取装置の動作に必要な各種メッセ−ジが表示される。また、表示部１９には、画像読取装置の動作状況に応じて記録関連項目の表示、または読み取り関連項目の表示が切り替えて表示される。キ−ボ−ドやマウス等からなる操作部２０は、画像読取装置の各種動作、停止を指示する。
【００２９】
記録部２２は、現像ロ−ラ、感光ドラム等の画像形成部を有し、画像を転写ロ−ラで記録紙に転写して、コピ−プリントする。画像のコピ−プリントは、記録紙の両面に行なう場合と記録紙の片面に行なう場合がある。
【００３０】
符号化・復号部２３は、読取画像の画デ−タを所定の符号化方式で符号化し、また、受信した画デ−タを復号化する。なお、制御装置１１に時計部を設けて現在時刻をカウントし、時計部の出力を用いて受信時刻を通信管理記録に保存することもできる。
【００３１】
図６は、表示部１９と操作部２０の配置例を示す説明図である。図６において、操作部２０には、テンキ−２０ａ、リセットキ−２０ｂ、ストップキ−２０ｃ、スタ−トキ−２０ｄ、ファンクションキ−２０ｅ、２０ｆ、２０ｇが設けられている。
【００３２】
ファンクションキ−の２０ｅは原稿が文字か写真か等の原稿の種類を指定する。キ−２０ｅを押す毎に、表示画面の対応する位置には〔文字〕、〔写真〕等が順次表示される。キ−２０ｆはソ−トのオン、オフを指定する。キ−２０ｇは濃度を指定する。
【００３３】
スタ−トキ−２０ｄの表面には、ＬＥＤ３０が設けられている。このＬＥＤ３０は、次の原稿が読み取り可能であれば緑色で発光し、画像読取装置が使用中のときには赤色で発光する。
【００３４】
本発明においては、表示部１９の表示画面に、画像記録中にはコピ−枚数等の記録関連項目の表示を行なう。この記録関連項目の表示中に次の原稿画像読み取りの操作を行なうと、原稿の種類は文字か写真か、等の読み取り関連項目の表示に切り替える。このように、同一の表示画面に記録関連項目の表示と読み取り関連項目の表示を切り替えて表示することを特徴とするものである。
【００３５】
図１は、原稿読み取り関連の操作がされた場合に表示部１９の表示画面に表示される項目の例を示す説明図である。図１において、ファンクションキ−の２０ｅを押して読み込み原稿の種類は文字であることを指定している。また、キ−２０ｆを押してソ−トはオフ、キ−２０ｇを押して原稿読み取りの濃度は普通であることを指定している。このように、原稿読み取り関連項目の表示は、原稿の種類や原稿読み取りの濃度のように、原稿に応じて設定された読み取り処理の態様としている。
【００３６】
図は、表示部１９の表示画面に表示される記録関連の項目の例を示す説明図である。図２の例ではプリントされている画像は２枚の原稿の中の１枚目（１／２）であり、コピー部数は５部設定されているが、カウンターは。（１／５）をカウントしている状態を示している。このように記録関連の表示は、画像記録処理の進捗状態を表示しているので、操作者は画像記録処理の作業がどこまで進行したかを判断することができる。
【００３７】
図２において、ファンクションキ−の２０ｅ、２０ｆ、２０ｇのうちのいずれかのキ−を押して原稿読み取り関連の操作がされると、表示部１９の表示画面には、記録関連項目表示から、図１の原稿読み取り関連項目表示に切り替わる。
【００３８】
図３は、ファンクションキ−の２０ｅ、２０ｆ、２０ｇを操作した場合に表示画面に順次表示される項目の例を示す説明図である。図３（ａ）は原稿の種類を指定する例であり、キ−２０ｅを押す毎に読み取り原稿の種類は「文字」、「写真」、「文字／写真」に切り替わる。
【００３９】
図３（ｂ）はソ−トを指定する例であり、キ−２０ｆを押す毎にソ−トは「オン」、「オフ」に切り替わる。また、図３（ｃ）は濃度を指定する例であり、キ−２０ｆを押す毎に濃度は「普通」、「濃い」、「淡い」、「自動」に切り替わる。すなわち、原稿の濃淡に応じて読み取り濃度を最適な濃度に指定する。
【００４０】
図４は、画像読取装置の表示項目切り替え処理の処理手順を示すフロ−チャ−トである。次に、このフロ−チャ−トについて説明する。
【００４１】
（１）ステップＳ１で処理プログラムをスタ−トしコピ−を開始する。次にステップＳ２で表示画面に図２のようなプリント中状態表示をする。続いてステップＳ３の処理で、プリント完了かどうかを判定する。
【００４２】
（２）前記ステップＳ３の判定結果がＹＥＳ（以下、Ｙと略記する）であれば、ステップＳ４の処理に移行して待機状態の表示をし、ステップＳ１０で処理プログラムを終了する。
【００４３】
（３）ステップＳ３の判定結果がＮＯ（以下、Ｎと略記する）であれば、ステップＳ５で次の処理は読み取り関連の操作かどうかを判定する。すなわち、前記ファンクションキ−の２０ｅ、２０ｆ、２０ｇのいずれかのキ−が操作されたかどうかを判定する。この判定結果がＮであればステップＳ２の処理に戻り、ステップＳ２〜ステップＳ５のル−プ処理を繰り返す。
【００４４】
（４）ステップＳ５の判定結果がＹになるとステップＳ６の処理に移行し、次の処理の読み取り待機画面を表示する。ステップＳ６の処理は、図３で説明したように、原稿の種類、ソ−トのオン、オフ、原稿の読み取り濃度を指定した項目で表示するものである。
【００４５】
（５）次にステップＳ７の処理で、読み取り原稿を除去したかどうかを判定する。この判定結果がＹの場合には、ステップＳ２の処理に戻りプリント中状態表示を行なう。このように、本発明においては画像のプリント中に、原稿読み込みの指定を行なった場合には、表示画面の表示を読み取り関連項目表示に切り替える。また、読み取り関連項目表示中に読み込み原稿を除去した場合には、表示画面のプリント中状態、すなわち記録関連項目表示に自動的に切り替える。このため、操作者の負担を軽減することができる。
【００４６】
（６）次に、ステップＳ８の処理でスタ−トキ−押し下げかどうかを判定する。この判定結果がＹであれば、次にステップＳ９の処理で原稿の読み取りを開始し、ステップＳ１０で処理プログラムを終了する。ステップＳ８の判定結果がＮであれば、ステップＳ６の待機状態となる。
【００４７】
【発明の効果】
以上詳細に説明したように、請求項１に係る発明によれば、画像の記録中に記録関連項目を表示部に表示しているときに、読み取り関連の項目を設定すると、記録関連項目から読み取り関連項目に切り替えて表示部に表示している。このため、表示部の表示画面が小さい場合でも、画像読取装置の読み取り処理と記録処理の状況を支障なく表示することができる。しかも、読み取り処理と記録処理をそれぞれ別画面に表示されるので、操作者は画像読取装置の処理状況を混乱することなく確実に把握することができる。
【００４８】
請求項２に係る発明によれば、記録関連項目表示から読み取り関連項目表示に表示を切り替えているときに、読み取り原稿を除去すると記録関連項目表示に表示部の表示を戻している。このため、原稿の読み取り処理が不要になったときに、表示部の表示を記録関連項目表示に戻す処理が操作者が何等の操作をすることなく自動的になされるので、操作者の負担を軽減し、操作性を向上させることができる。
【００４９】
請求項３に係る発明によれば、記録関連項目表示は、設定された項目の画像処理進捗状況の表示であり、読み取り関連項目表示は、原稿に応じて設定された読み取り処理の態様としている。このため、操作者は原稿の特質に応じて画像読取装置はどのような読み取り処理をするのか、また、記録処理を行なう際の画像処理進捗状況はどのようになっているかの判断を確実にすることができる。
【図面の簡単な説明】
【図１】本発明の実施の形態に係る画像読取装置の表示部で、画像読み取り中の表示の例を示す説明図である。
【図２】画像読取装置の表示部で、記録中の表示の例を示す説明図である。
【図３】画像読み取り中の表示画面の変化を示す説明図である。
【図４】本発明の処理手順を示すフロ−チャ−トである。
【図５】画像読取装置の制御部のブロック図である。
【図６】表示部と操作部の配置例を示す説明図である。
【図７】画像読取装置の読取部の側面図である。
【符号の説明】
１    画像読取装置
３    押え蓋
４    原稿給送部
８    カバ−ガラス
１１    制御装置
１２    中央演算処理装置（ＣＰＵ）
１６    画像メモリ
１７    ＲＡＭ
１９    表示部
２０    操作部
２０ｅ、２０ｆ、２０ｇ  ファンクションキ−
２１    読取部
２２    記録部
【図１】
0003596458.tif 000002
【図２】
0003596458.tif 000003
【図３】
0003596458.tif 000004
【図４】
0003596458.tif 000005
【図５】
0003596458.tif 000006
【図６】
0003596458.tif 000007
【図７】
0003596458.tif 000008